(57)【要約】      （修正有）【課題】入浴する人が景観を楽しむことができ、且つ、入浴しやすい移動式五右衛門風呂を提供する。【解決手段】人が歩けるように構成され挿通穴２４が設けられた上面２３を有し、上面２３を支持するためのアングルを有する土台２と、挿通穴２４に挿通され固定された五右衛門風呂釜３と、上面２３上に設けられたオブジェ４と、設置場ＳＪから人が上面２３に上がりやすいように土台２に設けられた足場５と、を備えており、土台２、五右衛門風呂釜３、オブジェ４、足場５が一体となったユニットとして設置場ＳＪに移動されて載置されるように構成する。【選択図】図１
0003227435.tif 000002
【実用新案登録請求の範囲】
【請求項１】
人が歩けるように構成され挿通穴が設けられた上面を有し、該上面を支持するためのアングルを有する土台と、
前記挿通穴に挿通され固定された五右衛門風呂釜と、
前記上面上に設けられたオブジェと、
設置場から人が前記上面に上がりやすいように前記土台に設けられた足場と、
を備え、
前記土台、前記五右衛門風呂釜、前記オブジェ、前記足場が一体となったユニットとして前記設置場に移動されて載置されることを特徴とする移動式五右衛門風呂。
【請求項２】
請求項１に記載の移動式五右衛門風呂であって、
前記土台は、上桟及び下桟が設けられており、
前記上桟及び前記下桟との間に棒部材を通し、該棒部材にベルトを掛け、該ベルトを介してクレーンで吊ることにより、ユニック車での積み降ろし及び運搬ができるように構成されていることを特徴とする移動式五右衛門風呂。
【請求項３】
請求項１又は請求項２に記載の移動式五右衛門風呂であって、
前記五右衛門風呂釜は、前記上面に立っている人が開口上端部をまたげる高さとなるように固定されていることを特徴とする移動式五右衛門風呂。
【請求項４】
請求項１〜３の何れか一つに記載の移動式五右衛門風呂であって、
前記設置場の設置面と前記五右衛門風呂釜の底面との間に前記五右衛門風呂釜内に注入された水を加熱するための部材を載置するための空間が設けられていることを特徴とする移動式五右衛門風呂。
【請求項５】
請求項１〜４の何れか一つに記載の移動式五右衛門風呂であって、
前記オブジェが自然石であることを特徴とする移動式五右衛門風呂。
【請求項６】
人が歩けるように構成され挿通穴が設けられた上面を有し、該上面を支持するためのアングルを有する土台と、
前記挿通穴に挿通され固定された足湯槽と、
前記上面上に設けられたオブジェと、
設置場から人が前記上面に上がりやすいように前記土台に設けられた足場と、
を備え、
前記土台、前記足湯槽、前記オブジェ、前記足場が一体となったユニットとして前記設置場に移動されて載置されることを特徴とする移動式足湯浴槽。
【考案の詳細な説明】
【技術分野】
【０００１】  本考案は、移動式の五右衛門風呂及び足湯浴槽に関する。
【背景技術】
【０００２】  従来、五右衛門風呂は、自宅、温泉やホテルの浴場で地面に固定されて使用しているものが多い。また、例えば特許文献１に開示されているように、移動式のお風呂では、車載されたお風呂セットがある。このお風呂セットは、システム化されたお風呂セットをユニック車に積み希望する所に運搬して使用するよう構成されている。【０００３】  一方、室外で使用するものには、例えば特許文献２に開示されているように、ドラム缶のお風呂もある。このドラム缶のお風呂は、ドラム缶を上下に二分割した一方側の湯船とする第１分割缶体と、他方側の燃焼室とする第２分割缶体とからなり、周面に焚口を開設した第２分割缶体の上に第１分割缶体を積み重ね可能であり、積み重ねた両分割缶体相互の横ずれを防止する係止部を備え、第１分割缶体内に収容した水を第２分割缶体内での燃料Ｆの燃焼熱で湯沸かしするように構成されてなる。【０００４】  また足湯については、温泉やホテルなどの施設に設置され使用しているものは多いが、移動式の足湯浴槽はなかった。
【先行技術文献】
【特許文献】
【０００５】
【特許文献１】実開平０７−０２８７３３号公報
【特許文献２】特開２０１８−１３９７７０号公報
【考案の概要】
【考案が解決しようとする課題】
【０００６】  しかしながら、特許文献１に開示された従来の移動式お風呂は、お風呂が車載された状態で使用するため、車自体が景観にそぐわず、景観を楽しむ事が出来ないという問題があった。【０００７】  また、特許文献２に開示された従来のドラム缶型お風呂では、入浴する際に脚立または踏み台が必要となるため、その都度設置するのは不便という問題があった。【０００８】  本考案は、入浴する人が景観を楽しむことができ、且つ、入浴しやすい移動式お風呂を提供すること、並びに、どこでも簡単に足湯を楽しむ事ができる移動式足湯浴槽を提供することを目的としている。
【課題を解決するための手段】
【０００９】  本考案の第１の側面に係る移動式五右衛門風呂は、人が歩けるように構成され挿通穴が設けられた上面を有し、該上面を支持するためのアングルを有する土台と、前記挿通穴に挿通され固定された五右衛門風呂釜と、前記上面上に設けられたオブジェと、設置場から人が前記上面に上がりやすいように前記土台に設けられた足場と、を備え、前記土台、前記五右衛門風呂釜、前記オブジェ、前記足場が一体となったユニットとして前記設置場に移動されて載置されることを特徴とする。【００１０】  前記構成により、土台、五右衛門風呂釜、オブジェ、足場が一体となったユニットとして設置場に移動されて載置されるので、景観の良い場所にユニットを移動させて載置することで、オブジェと相俟って入浴者が景観を楽しむことができる。また、土台には、設置場から人が上面に上がりやすいように足場が設けられているので、入浴する際に脚立や踏み台が不要となり、入浴しやすい移動式お風呂を提供できる。【００１１】  本考案の第２の側面に係る移動式五右衛門風呂は、前記土台が、上桟及び下桟が設けられており、前記上桟及び前記下桟との間に棒部材を通し、該棒部材にベルトを掛け、該ベルトを介してクレーンで吊ることにより、ユニック車での積み降ろし及び運搬ができるように構成されていることを特徴とする。前記構成により、ユニットとして設置場に移動して載置する作業をユニック車を使用して容易に行うことができる。【００１２】  本考案の第３の側面に係る移動式五右衛門風呂は、前記五右衛門風呂釜は、前記上面に立っている人が開口上端部をまたげる高さとなるように固定されていることを特徴とする。【００１３】  前記構成により、入浴者が容易に且つ安全に利用できるようになる。【００１４】  本考案の第４の側面に係る移動式五右衛門風呂は、前記設置場の設置面と前記五右衛門風呂釜の底面との間に前記五右衛門風呂釜内に注入された水を加熱するための部材を載置するための空間が設けられていることを特徴とする。【００１５】  前記構成により、設置された場所で、前記五右衛門風呂釜内の水を沸かすことができる。【００１６】  本考案の第５の側面に係る移動式五右衛門風呂は、前記オブジェが自然石であることを特徴とする。【００１７】  前記構成により、オブジェが自然石であるので、自然豊かな場所に設置した際には、オブジェを景観に溶け込ませることができる。【００１８】  本考案の第６の側面に係る移動式足湯浴槽は、人が歩けるように構成され挿通穴が設けられた上面を有し、該上面を支持するためのアングルを有する土台と、前記挿通穴に挿通され固定された足湯槽と、前記上面上に設けられたオブジェと、設置場から人が前記上面に上がりやすいように前記土台に設けられた足場と、を備え、前記土台、前記足湯槽、前記オブジェ、前記足場が一体となったユニットとして前記設置場に移動されて載置されることを特徴とする。【００１９】  前記構成により、土台、移動式足湯浴槽、オブジェ、足場が一体となったユニットとして設置場に移動されて載置されるので、景観の良い場所にユニットを移動させて載置することで、オブジェと相俟って足湯を行う人が景観を楽しむことができる。また、土台には、設置場から人が上面に上��りやすいように足場が設けられているので、足湯を行う際に脚立や踏み台が不要となり、足湯をしやすい移動式足湯を提供できる。
【考案の効果】
【００２０】  本考案によれば、入浴する人が景観を楽しむことができ、且つ、入浴しやすい移動式お風呂を提供すること、並びに、どこでも簡単に足湯を楽しむ事ができる移動式足湯浴槽を提供することができる。
【図面の簡単な説明】
【００２１】
【図１】移動式五右衛門風呂を示す説明図である。
【図２Ａ】移動式五右衛門風呂の土台を説明するための平面図である。
【図２Ｂ】移動式五右衛門風呂の土台を説明するための側面図である。
【図３Ａ】移動式足湯浴槽を説明するための平面図である。
【図３Ｂ】移動式足湯浴槽を説明するための側面図である。
【図４】移動式五右衛門風呂及び移動式足湯浴槽の使用方法を説明するための、（Ａ）移動式五右衛門風呂をユニック車の荷台に積み込んだ状態を示す図であり、（Ｂ）設置場に、移動式五右衛門風呂を設置する際の状態を示す図である。
【考案を実施するための形態】
（移動式五右衛門風呂１の構成）
【００２２】  本考案に係る移動式五右衛門風呂１は、図１及び図２に示すように、人が歩けるように構成され挿通穴２４が設けられた上面２３を有し、上面２３を支持するためのアングルを有する土台２と、挿通穴２４に挿通され固定された五右衛門風呂釜３と、上面２３上に設けられたオブジェ４と、設置場ＳＪから人が上面２３に上がりやすいように土台２に設けられた足場５と、を備えており、土台２、五右衛門風呂釜３、オブジェ４、足場５が一体となったユニットとして設置場ＳＪに移動されて載置される。
（土台２）
【００２３】  土台２は、図２Ａ及び図２Ｂに示すように、鋼材からなる、上桟２１と下桟２２と柱２５とで構成されており、上桟２１の上に、床が形成されるよう上面２３が設けられている。上面２３には、五右衛門風呂釜３をはめ込むための挿通穴２４が設けられている。土台２は、上桟２１及び下桟２２との間に棒部材ＢＢを通し、該棒部材にベルトを掛け、該ベルトを介してクレーンで吊ることにより、ユニック車での積み降ろし及び運搬ができるように構成されている。
【００２４】  また、上面２３には、自然石４１と自然石加工品４２とからなるオブジェ４が石材用接着剤で固定されている。
（五右衛門風呂釜３）
【００２５】  五右衛門風呂釜３は、図１に示すように、挿通穴２４を直径６００ｍｍにする事により、五右衛門風呂釜３が上面２３より３５０ｍｍの高さで固定されている為、上面２３に立っている人が開口上端部３１をまたぎやすい高さとなっている。
（オブジェ４）
【００２６】  オブジェ４は、図１に示すように、青々とした色と変化にとんだ模様が美しい伊予青石（愛媛県西条市産出）の、自然石４１と自然石加工品４２とで構成されている。自然石４１は自然石そのものであり、自然石加工品４２は、自然石を３０ｍｍの厚さに切断し、表面を砂で噴射する加工が施されている。そのため、裸足で歩いても滑らず、心地よい肌触りで、安全且つ快適に入浴しやすいようになっている。
（足場５）
【００２７】  足場５は、図１に示すように、ステップ材を土台２の柱２５に人が昇降しやすい高さに溶接で取り付けられ固定されている。そのため、入浴する際に脚立や踏み台が不要となる。
（移動式足湯浴槽６の構成）
【００２８】  本考案に係る移動式足湯浴槽６は、図３Ａ、図３Ｂに示すように、移動式五右衛門風呂１の形態で、概ね五右衛門風呂釜３が足湯浴槽７に代わったものである。足湯浴槽７（縦４００ｍｍ×横４００ｍｍ×高さ３５０ｍｍ）は、挿通穴２４が上面２３より９０ｍｍの高さで土台２にボルト止めし、足湯浴槽６の周囲に自然石加工品４２を固定することで腰掛を設置し容易に座って足湯を楽しむことが出来るように構成されている。
（移動式五右衛門風呂１又は移動式足湯浴槽６の使用方法）
【００２９】  図４に示すように、移動式五右衛門風呂１又は移動式足湯浴槽６の土台２の上桟２１と下桟２２の間に棒部材ＢＢを通し、該棒部材ＢＢにベルトを掛け、該ベルトを介してユニック車ＹＳのクレーンで一体型の移動式五右衛門風呂１又は移動式足湯浴槽６を吊り、ユニック車ＹＳの荷台に載せる（図４（Ａ）参照。）。また、五右衛門風呂釜３又は足湯浴槽７に注入する水の入ったタンクや水を加熱するための部材をユニック車の荷台に積み込み、移動し、前記方法で一体型の移動式五右衛門風呂１又は移動式足湯浴槽６を吊り、好きな場所にユニック車ＹＳで荷台から降し、設置場ＳＪに設置する（図４（Ｂ）参照。）。
【産業上の利用可能性】
【００３０】  本考案に係る移動式五右衛門風呂及び移動式足湯浴槽は、移動式の五右衛門風呂及び足湯浴槽としてキャンプ場や屋外の温泉で使用することができる。
【符号の説明】
【００３１】１…移動式五右衛門風呂
２…土台；２１…上桟；２２…下桟；２３…上面；２４…挿通穴；２５…柱
３…五右衛門風呂釜；３１…開口上端部
４…オブジェ；４１…自然石；４２…自然石加工品
５…足場
６…移動式足場浴槽
７…足湯浴槽
ＳＪ…設置場
ＢＢ…棒部材
ＹＳ…ユニック車
【図１】
0003227435.tif 000003
【図２Ａ】
0003227435.tif 000004
【図２Ｂ】
0003227435.tif 000005
【図３Ａ】
0003227435.tif 000006
【図３Ｂ】
0003227435.tif 000007
【図４】
0003227435.tif 000008